Podtech/llm-jp-corpus-v4-ja_patent huggingface dataset:
(57)【要約】      （修正有）【課題】上着の外見からはフードが付いている様には見えず着用感も変わらないフード付上着を提供する。【解決手段】急な雨などに対応できるように、上着背裏１０の中にフード１１を折りたたみ収納し、ファスナ１２等を活用して衿下部分に取り付け、容易に出し入れができるようにして、スーツやジャケットなどのフード付き上着を構成する。【選択図】図１
0003152161.tif 000002
【実用新案登録請求の範囲】
【請求項１】
背裏の中にフードを折りたたみ収納できる上着
【考案の詳細な説明】
【技術分野】
【０００１】この考案は、外見からはフードが付いているようには見えない上着。
【背景技術】
【０００２】上着背裏の中にフードを折りたたみ衿下部分に取り付け出し入れが出来ることにより急な雨などに対応することができる。
【考案が解決しようとする課題】
【０００３】今までのフード付きはスポーツウエアー及びカジュアルウエアーが殆どで外側に出ているか取り外しをするか、襟の中に収納するのが一般的で背裏の中にフードを収納するのはなく、たとえ有ったとしてもスーツ及びジャケットに対応するものが見あたらなかった。
【考案の効果】
【０００４】外見からは今までの上着と何ら変わりなく着用感も同じです。
【図面の簡単な説明】
【０００５】
【図１】フードを収納している背裏
【図２】フードの形
【図３】フードを折りたたんだ形
【符号の説明】
【０００６】１０  背裏
１１  フード
１２  ファスナー
【図１】
0003152161.tif 000003
【図２】
0003152161.tif 000004
【図３】
0003152161.tif 000005
(57)【要約】      （修正有）【課題】増加する印版の管理や製品の加工作業の多様化、作業者の流動化に関わらず、情報の迅速かつ正確な伝達が可能な見出し機能付き補強テープを提供する。【解決手段】印版キャリアシートの止棒とフィルムシートの接合補強に施されているテープに色、記号、符号等を印刷した。【選択図】図２
0003152162.tif 000002
【実用新案登録請求の範囲】
【請求項１】
印版区分や、製造加工内容を一見して判断可能にする為、テープに区分する色や記号を印刷し、見出し機能を備えた止棒接合補強テープ。
【考案の詳細な説明】
【技術分野】
【０００１】本考案は、ダンボール等の印刷に用いる整版キャリアシートの止棒接合補強テープに関するものである。
【背景技術】
【０００２】従来の補強テープでは、単にフィルムシートと止棒との接合強化の用途のみに限られて使用されており、各種情報の伝達の用には、全く供していない。
【考案の開示】
【考案が解決しようとする課題】
【０００３】昨今の印刷作業現場では、
・日々、数が増加する印版の管理。
・印刷製品に対する個別加工要求の増加。
・印刷指図書に書かれた小さな文字での情報伝達の見落とし。
・作業者の流動化。
等、その管理や情報伝達のあり方が問題となっている。
【課題を解決する為の手段】
【０００４】そこで、フィルムシートと止棒の接合を強化する為にシートの四隅等、複数箇所に施されている補強テープに、色、記号、符号等を印刷し、各種情報を一見して伝達できる、見出し機能付き補強テープを考案した。
【考案の効果】
【０００５】よって、見出し機能付き補強テープにより、
・得意先区分・印刷色区分・各種製品加工区分・製版時期区分・版の厚み区分・印版兼用区分・製版会社区分・印版保管場所区分等々、各種情報が一見して判り、印版の管理や印刷作業の効率化と、正確性に資するものである。
【考案を実施する為の最良の形態】
【０００６】本考案に係る見出し機能付き補強テープは、ラベルと同様に、表面は色、記号、符号等を情報区分の種別に基づき印刷し、裏面は、接着剤を施し、剥離紙を剥がして使用するものである。材質は、補強テープとして用を成す強度を保持したペット樹脂系のフィルムが望ましい。
【図面の簡単な説明】
【０００７】
【図１】▲ア▼印版を貼り付けた整版キャリアシートの全体図である。▲イ▼同上の断面図である。
【図２】▲ア▼従来の補強テープである。▲イ▼本考案の見出し機能付き補強テープである。
【符号の説明】
【０００８】▲Ａ▼補強テープ
▲Ｂ▼止棒
▲Ｃ▼フィルムシート
▲Ｄ▼印版
【図１】
0003152162.tif 000003
【図２】
0003152162.tif 000004
(57)【要約】      （修正有）【課題】液体エッセンス揮発効果を強化した芳香器を提供する。【解決手段】容器２と、外蓋５と、綿片４と、を含み、容器内に液体エッセンスを充填し、綿芯を収容し、その中に進入させ、吸引し、外蓋は、開口端５２を有し、容器に被せ合わせることに用い、その内面は、同一水平であり、間隔を有する複数の載置板５３を径向配置し、綿片を載置することに用いる。外蓋が容器に被さり合う時、綿芯の他端が綿片に接触し、容器中に吸引したエッセンスを綿体に伝送し、揮発させ、空気中に散布する。【選択図】図３
0003152167.tif 000002
【実用新案登録請求の範囲】
【請求項１】
容器と、綿片と、外蓋と、を含み、
容器内に液体エッセンスを充填し、且つ綿芯を有し、一端部が容器内に伸入し、前記液体エッセンスと接触し、綿芯の他端部が容器の外に露出してなり、
綿片は、前記綿芯から伝達される液体エッセンスを吸収することに用いてなり、
外蓋は、上部と上部外縁を囲う側部から構成される中空式の外蓋であり、上部の相対箇所に開口端を備え、側部の内面は、同一水平に、間隔を有する複数の載置板を径向配置し、且つ各載置板の間に開口端よりやや小さい通路を構成し、各載置板と上部の間に綿片を収容載置する空間を構成し、前記通路は、前記綿片を収容し、通過して載置板の表面に横置きされ、綿片を載置及び定位させる芳香器。
【請求項２】
前記外蓋の側部又は上部に少なくとも１つの気孔を有する請求項１記載の芳香器。
【請求項３】
前記載置板と外蓋が一体に成型される請求項１記載の芳香器。
【考案の詳細な説明】
【技術分野】
【０００１】
本考案は、芳香器に関し、特に、外蓋が含む綿片により液体エッセンス揮発効果を強化する芳香器構造に関する。
【背景技術】
【０００２】
人々の生活が裕福になるにつれ、環境品質の向上に対してより重視するようになっている。密閉空間中、異臭が除去できなければ、例えば芳香器等の付属品の助けを借り、カバーすることが必要である。
【０００３】
芳香器が香りを発散する効果を強化する為、従来開示されている技術分野中、図１に示すように、綿片１０と瓶体１１に進入する綿芯１２を接触させることによって、綿芯１２の他端は、毛細現象を介して瓶体１１内に充填した液体エッセンスを吸引し、前記綿片１０が吸収するエッセンスが揮発により散布される。綿片１０の面積が綿芯より大きいので、拡張の効果を発生することができ、香りを散布する範囲を増加することができる。
【先行技術文献】
【特許文献】
【０００４】
【特許文献１】中華民国新型第Ｍ３２８３８６号専利公報
【考案の概要】
【考案が解決しようとする課題】
【０００５】
図１に開示する従来技術は、中華民国新型第Ｍ３２８３８６号専利公報に公開され、そのうち、前記綿片１０を定位する為、トレイ１３を特別設計し、載置することができる。この部分について言えば、以下の欠陥を有する：
（１）前記トレイ１３は、芳香器外に独立する部材であり、製造時に別途１セットの鋳型を設計する必要があり、生産コストを増加させる。
（２）芳香器は使用する前、瓶体１１上に蓋（図示せず）を加え、綿芯１２と空気の接触を回避し、吸引するエッセンスを揮発し、瓶蓋の位置と設計したトレイ１３と重ね合わせ、このように、製品を包装時、トレイ１３が一定の空間を別途占拠する必要があり、浪費及び包装費用の増加を招く。更に、包装時にトレイ１３が遺失、又は使用者が包装を分解時に不注意で紛失する場合、綿片１０が定位できず使用することができない。
【課題を解決するための手段】
【０００６】
上記同類型の従来の製品が使用上発生する欠点を改善する為、本考案の芳香器は、容器と、外蓋と、綿片を含み、容器内に液体エッセンスを充填し、綿芯を収容し、その中に進入させ、吸引し、該蓋は、開口端を有し、前記容器に被せ合わせることに用い、その内面は、同一水平であり、間隔を有する複数の載置板を径向配置し、前記綿片を載置することに用いる。外蓋が容器に被さり合う時、前記綿芯の他端が綿片に接触し、容器中に吸引したエッセンスを綿体に伝送し、揮発させ、空気中に散布する。
【考案の効果】
【０００７】
従来技術に比べて、本考案が発生する有益効果は、以下を含む：
（１） 綿片を定位する機構が外蓋と一体に成型され、製造が容易で生産コストを低減する。
（２） 綿片を定位する機構が外蓋と一体に成型され、余計な部品（例えば、従来技術のトレイ）を有さず、包装の体積を厳粛氏、包装の費用を低減する。更に、トレイを遺失し綿片を定位できないということがない。
【図面の簡単な説明】
【０００８】
【図１】従来技術の分解図である。
【図２】本考案の分解図である。
【図３】本考案の組み合わせ図である。
【考案を実施するための形態】
【０００９】
図２、図３に示すように、本考案の芳香器は、容器２と、綿片４と、外蓋５と、を含み、
容器２内に液体エッセンスを充填し、且つ綿芯３を有し、一端部３０が容器２内に伸入し、前記液体エッセンスと接触し、綿芯３の他端部３１が容器２の外に露出する。
【００１０】
綿片４は、前記綿芯３から伝達される液体エッセンスを吸収することに用い、空気中への散布を拡張することができる。
【００１１】
外蓋５は、上部５０と上部５０外縁を囲う側部５１から構成される中空式の外蓋５であり、側部５１又は上部５０は、少なくとも気孔５１０，５００を有し、上部５０の相対箇所に開口端５２を備え、外蓋５を前記容器２に被せ合わせることに用い、側部５１の内面は、同一水平に、間隔を有する複数の載置板５３を径向配置し、載置板５３は、外蓋５と一体に成型され、且つ各載置板５３の間に開口端５２よりやや小さい通路５４を構成し、各載置板５３と上部５０の間に綿片４を収容載置する空間５５を構成し、前記通路５４は、前記綿片４を収容し、通過して載置板５３の表面に横置きされ、綿片４を載置及び定位させる。
【００１２】
組み立て時は、先ず外蓋５を容器２から取り外し、綿片４を外蓋の通路５４中から空間５５に進入させ、載置板５３上に横置きして定位し、外蓋５を容器２上に被せ合わせ、容器２中の綿芯３の他端部３１を綿片４と接触させ、綿芯３が吸引する液体エッセンスを綿片４に伝達され、綿片４の比較的大きな面積により拡張され、揮発後、外蓋５の気孔５１０，５００から空気中に散布される。
【００１３】
上記構成の芳香器は、構造が簡単で実施が容易であり、大量生産に適しているだけなく、従来技術よりも更に製造及び包装コストを大幅に低減し、実用価値を有する考案であり、専利出願を提出する。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１４】
２  容器
３  綿芯
３０  綿芯一端部
３１  綿芯他端部
４  綿片
５  外蓋
５０  上部
５１  側部
５００，５１０  気孔
５２  開口端
５３  載置板
５４  通路
５５  空間
【図１】
0003152167.tif 000003
【図２】
0003152167.tif 000004
【図３】
0003152167.tif 000005
(57)【要約】      （修正有）【課題】装飾具に脱着可能な開閉式クリップを両端に設け、襟を繋ぐ事で襟本来の形を維持させるネクタイを提供する。【解決手段】アクセサリーブリッチタイの中間部４にネクタイ柄、もしくは貴金属を用い、襟元にデザイン性の装飾具を取り入れるようにし、両端の先端部には脱着可能なクリップ１，２，３，を取り付け、さらに留め部であるクリップ下板２にゴム付き凹凸２ｃを付着させることで滑り止めの効果を高める。これによりクリップ１，２を用いて両襟先を挟み込む事により、襟元が立ち上がりシャツ本来の形が維持できる。さらに、クリップ上板１ａの窪みで襟先端部の段も収納でき破損も解決している。【選択図】図１
0003152122.tif 000002
【実用新案登録請求の範囲】
【請求項１】
襟のあるシャツに下板に滑り止めを付着させ、上板には二つの凹凸部を用い襟の破損を防ぐための窪みを設け、開閉式クリップ襟留め具を両先端に用いるとともに、中間部には装飾具を取り付けた、ネクタイ不着のクールビズスタイル時に襟本来の形を保つ事を特徴とする襟を繋ぐ襟留め具。
【考案の詳細な説明】
【技術分野】
【０００１】  本考案は、シャツ本来の形を維持させ、クールビズスタイルにワンポイントのデザイン性を持たせる、襟を利用したネクタイに関するものである。
【背景技術】
【０００２】  ボタンダウン以外のシャツを、クールビズスタイルで着用した場合襟部が開きすぎ、更に柄のあるネクタイを着用しない為、乱れた格好に見えていた。
【考案の開示】
【考案が解決しようとする課題】
【０００３】  シャツの襟を正装する事にあたって、クールビズスタイルは襟元にデザイン性が無く、更に襟ボタン付きシャツではネクタイも時間が掛かっていた。通常一般のシャツでは襟が開き、乱れた格好となる。従って、ブリッチタイ中間部にネクタイ柄、もしくは美飾具を用いることで襟元にデザイン性を取り入れる事ができる。さらに装飾具両端には、素早く脱着可能な上板下板に凹凸を設けたクリップを用い、上板の窪みで襟先の破損を防ぐことにより前述の欠点を解決しようとするものである。
【課題を解決するための手段】
【０００４】  本考案は、アクセサリーブリッチタイの中間部にネクタイ柄の装飾具もしくは貴金属を取り入れ、両端の先端部には素早く脱着可能なクリップを用い、さらに留め部であるクリップ下板にゴムを付着させることで滑り止めの効果を高める。クリップ上板には凹凸を縦二つ設置する事により、窪みに襟先端部の段も収納でき破損も防げ問題点を解決している。
【考案の効果】
【０００５】  本考案のアクセサリーブリッチタイは、様々なシャツにデザインを取り入れる事は勿論、脱着可能な開閉式クリップを用いる事で素早く取り付ける事ができ、襟の幅を縮める事により根元が立ち上がる、さらにクリップ上板の凹凸で装飾具のずれを防ぎ、下板の滑り止め効果で貴金属などの美装具も取り付ける事ができ、絞り込むピンホールの様にネクタイの固定もできる。従って、多様なシャツを揃えることも無く経済的にも効果がある。
【考案を実施するための最良の形態】
【０００６】  ブリッチタイ両端に取り付けられているクリップを上下に開き、ゴムストッパーの付着している下板が右襟、左襟の下部に来るように押し当て、上板で襟部を挟み込みながら閉じる。その際襟の中間部にクリップを取り付けた場合、ネクタイを固定する事が可能となる。また、襟先部にクリップを用いた場合襟元が立ち上がりシャツ本来の形が維持できる様になる。
【実施例】
【０００７】  以下、添付図面に従って実施例を説明する。図１は、クリップ１、２に装飾具４を取り付けた本考案のアクセサリーブリッチタイ本体の片端である。１は、襟を上から押さえる用途を持ち、１ａの窪みで襟先端部の段を収納し１ｂの窪みで下板２ｃのゴム付凹凸部を受け入れる。下板２に付着された凹凸２ｃは、ゴム素材で造られており３のバネを使い、挟み込んだのち１．２の板が滑り落ちないように作用する。【０００８】  本考案の一実施例は襟元に装飾具を脱着させる事は勿論であり、１，２の取り付け位置をシャツの襟に対し、上下させる事により多様なシャツの襟元を整える事が出来る。
【図面の簡単な説明】
【０００９】
【図１】本考案のアクセサリーブリッチタイ本体を示す側面図である。
【図２】本考案の用途に合わせた実施例を示す正面図である。
【図３】本考案の用途に合わせた実施例を示す正面図である。
【図４】本考案の用途に合わせた実施例を示す正面図である。
【符号の説明】
【００１０】  １  クリップ上板
２  クリップ下板
３  バネ
４  装飾具
５  ネクタイ柄装飾具
６  アクセサリー美装具
【図１】
0003152122.tif 000003
【図２】
0003152122.tif 000004
【図３】
0003152122.tif 000005
【図４】
0003152122.tif 000006
(57)【要約】      （修正有）【課題】洗浄液の排出は僅かであり、洗浄されたシート状ワークに汚れ再付着がなく、さらに、空気がハウジング内の上部に溜まることがない洗浄装置を提供する。  【解決手段】立方体状のハウジング１は上面１ａにシート状ワーク２の排出口１ｂ、洗浄液注入口１ｃ、１ｄが形成され、下面にシート状ワーク２の挿入口１ｆが形成され、シート状ワーク２と対向するハウジングの側面に超音波振動子３，４が対向して装着され、ハウジング１の上面及び下面から離れた位置にシート状ワーク２を搬送する２つのローラからなる上搬送装置５及び下搬送装置６が装着され、又、ハウジング１の洗浄液注入口１ｃ、１ｄに洗浄液供給装置７が接続され、さらに、超音波振動子３，４には発振装置８が接続されている。【選択図】図１
0003152197.tif 000002
【実用新案登録請求の範囲】
【請求項１】
洗浄液が溜められ、上面と下面にシート状ワークを挿入する上部挿入口及び下部排出口を形成したハウジングと、該ハウジングの前記シート状ワークとたいこうする側壁に装着した２つの超音波振動子と、前記ハウジングの上面に形成した洗浄液注入口に接続された洗浄液供給装置と、前記ハウジングの上下に、シート状ワークを搬送する上搬送装置と下搬送装置とからなり、前記シート状ワークは前記ハウジングの前記下部挿入口から挿入され、前記上部排出口から排出され、前記２つの超音波振動子から照射された超音波によって、前記シート状ワークが洗浄され、洗浄後の洗浄液は下部挿入口から排出されることを特徴とするシート状ワーク洗浄装置。
【考案の詳細な説明】
【技術分野】
【０００１】
本考案は、シート状ワークの両面を順次洗浄するシート状ワーク洗浄装置に関するものである。
【背景技術】
【０００２】
従来、シート状ワーク洗浄装置としてし、ノズルから洗浄液を噴出するとともに、噴出される洗浄液の乗せて超音波を照射して洗浄する装置が提案されている。
【０００３】
しかしながら、このよう構成されたシート状ワーク洗浄装置では、ノズルから大量の洗浄液が噴出されるために、洗浄液を大量に供給しなければならないという問題があり、又、噴出される洗浄液当たる僅かな部分のみ洗浄されるという問題があった。
【先行技術文献】
【特許文献】
【０００４】
【特許文献１】特開平７−２４９６０５号公報
【考案の概要】
【考案が解決しようとする課題】
【０００５】
解決しようとする問題点は、従来のシート状ワーク洗浄装置では、洗浄液を大量に供給しなければならないという問題があり、又、噴出される洗浄液当たる僅かな部分のみが洗浄されるという問題がある。
【課題を解決するための手段】
【０００６】
本発明では、洗浄液が溜められ、上面と下面にシート状ワークを挿入する上部挿入口及び下部排出口を形成したハウジングと、該ハウジングの前記シート状ワークとたいこうする側壁に装着した２つの超音波振動子と、前記ハウジングの上面に形成した洗浄液注入口に接続された洗浄液供給装置と、前記ハウジングの上下に、シート状ワークを搬送する上搬送装置と下搬送装置とからなり、前記シート状ワークは前記ハウジングの前記下部挿入口から挿入され、前記上部排出口から排出され、前記２つの超音波振動子から照射された超音波によって、前記シート状ワークが洗浄され、洗浄後の洗浄液は下部挿入口から排出されるものである。
【考案の効果】
【０００７】
本考案のシート状ワーク洗浄装置では、シート状ワークはハウジングの下部挿入口から挿入され、上部排出口から排出され、洗浄液は洗浄液注入口から注入され、下部挿入口から排出されるので、洗浄液の排出は僅かであり、又、超音波洗浄されたシート状ワーク側から新しい洗浄液が流入されるため、洗浄されたシート状ワークに汚れ再付着がなく、さらに、洗浄液とともに空気がハウジング内に注入されても、上部排出口から排出されるので、空気がハウジング内の上部に溜まることがないという利点がある。
【図面の簡単な説明】
【０００８】
【図１】本考案の実施例のシート状ワーク洗浄装置の側面断面図である。
【図２】図１のシート状ワーク洗浄装置の上面図である。
【考案を実施するための形態】
【０００９】
本考案では、洗浄液供給装置からハウジングの上面に形成した洗浄液注入口を介してハウジングに洗浄液が溜められ、ハウジングのシート状ワークと対向する側壁に装着した２つの超音波振動子から超音波が照射され、シート状ワークはハウジングの下部挿入口から挿入され、上部排出口から排出され、２つの超音波振動子から照射された超音波によって、前記シート状ワークが洗浄され、洗浄後の洗浄液は下部挿入口から排出されることができる。
【実施例】
【００１０】
図１は本考案の実施例のシート状ワークエッジ洗浄装置の側面断面図、図２は図１のシート状ワークエッジ洗浄装置の上面図で、立方体状のハウジング１は上面１ａにシート状ワーク２の排出口１ｂ、洗浄液注入口１ｃ、１ｄが形成され、下面１ｅにシート状ワーク２の挿入口１ｆが形成され、シート状ワーク２と対向するハウジングの側面に超音波振動子３，４が対向して装着され、ハウジング１の上面及び下面から離れた位置にシート状ワーク２を搬送する２つのローラからなる上搬送装置５及び下搬送装置６が装着され、又、ハウジング１の洗浄液注入口１ｃ、１ｄに洗浄液供給装置７が接続され、さらに、超音波振動子３，４には発振装置８が接続されている。
【００１１】
このように構成した本実施例のシート状ワーク洗浄装置では、ハウジング１のシート状ワーク２の下面１ｅのシート状ワーク２の挿入口１ｆからシート状ワーク２を挿入し、ハウジング１の上面のシート状ワーク２の排出口１ｂから排出し、ハウジング１の洗浄液注入口１ｃ、１ｄを介して、洗浄液供給装置７からハウジング１内に洗浄液が供給され、ハウジング１内に洗浄液が充満されると、発振器８を駆動して、超音波振動子３，４から超音波がシート状ワーク２に照射され、上搬送装置５及び下搬送装置６でシート状ワーク２が一定速度で移動される。
【００１２】
本考案は、このように、ハウジング１の中をシート状ワーク２を移動させることにより、ハウジング１内の洗浄液を介して超音波振動子３，４から超音波が照射され、シート状ワーク２を幅広く洗浄することができ、又、汚れた洗浄液はシート状ワーク２の挿入口１ｆから排出されるので、シート状ワーク２の移動方向と洗浄液の排出方向が逆になるので、洗浄液の排出が少ないという利点がある。 
【産業上の利用可能性】
【００１３】
なお、本考案の上記実施例では、ハウジング１から離して上搬送装置５及び下搬送装置６を設けたが、ハウジング１上下面に直接装着してもよい。
【符号の説明】
【００１４】
１                ハウジング
２                シート状ワーク
３、４            超音波振動子
５                上搬送装置
６                下搬送装置
７                洗浄液供給装置
【図１】
0003152197.tif 000003
【図２】
0003152197.tif 000004
(57)【要約】      （修正有）【課題】同じペットボトル飲料であっても識別が出来、貼り直しやキャップのリサイクル時を考慮し、着脱が容易な識別ラベルを提供する。【解決手段】ペットボトルのキャップ天面平面部の大きさに合わせた円形のラベルに糊の付いていない突起状の部分を設けた。【選択図】図１
0003152155.tif 000002
【実用新案登録請求の範囲】
【請求項１】
ペットボトルのキャップ天面平面部の大きさに合わせた円形のラベルに糊の付いていない突起状の部分を設けたペットボトル用識別ラベル。
【考案の詳細な説明】
【技術分野】
【０００１】  本考案は、ペットボトルの識別用として円形に糊の付いていない突起状の部分を設けたラベルに関するものである。
【背景技術】
【０００２】  ペットボトル飲料は購入してすぐに飲み干すというより、徐々に飲み進めていくものという性質がある。複数人が同じ種類のペットボトル飲料を購入して、暫時同じ場所にペットボトル飲料を置いて席を離れた場合、例えばゴルフ場においてコースをまわる場合、カートにペットボトル飲料を置いてプレーをする。プレー後ペットボトル飲料を飲もうとすると、同じ組みでまわる人と同じ種類のペットボトル飲料であれば区別がつかない。区別するためにはペットボトルに直接名前を書き込むか、ゴルフ場で配付している識別用のカラーラベルをボトルキャップに貼りつけている。
【先行技術文献】
【特許文献】
【０００３】
【特許文献１】  登録実用新案第３０９９４７３号
【０００４】
【特許文献２】  登録実用新案第３１００６５５号
【考案の概要】
【考案が解決しようとする課題】
【０００５】  ゴルフ場が配付しているような識別用カラーラベルでは、色を忘れてしまうと識別が出来なくなる。またラベルはボトルキャップ天面の面積より小さいため誤って貼ってしまった場合など、剥がしにくく貼り直すのが手間である。そこで、この考案は、同じペットボトル飲料であっても識別が出来、貼り直しやキャップのリサイクル時を考慮し、着脱が容易な識別ラベルを提供することを課題とする。
【課題を解決するための手段】
【０００６】    ペットボトルのキャップ天面平面部の大きさに合わせた円形のラベルに糊の付いていない突起状の部分を設けたペットボトル用識別ラベル。
【考案の効果】
【０００７】  上述のように、本考案のペットボトル用識別ラベルを使用すれば、ゴルフ場に限らず同じ種類のペットボトル飲料が混在する場面で、自分のペットボトルを識別することが出来、容易にラベルを剥がし廃棄や再利用することが出来る。
【図面の簡単な説明】
【０００８】
【図１】本考案の実施形態を示す斜視図である。
【図２】本識別ラベルの正面図である。
【考案を実施するための形態】
【０００９】  ペットボトルキャップの大きさは輸入物を除き、直径２８ｍｍであることに着目し、貼りやすいサイズの直径２６ｍｍの円形ラベルに糊の付いていない突起部分を設ける。その突起部分を設けたペットボトル用識別ラベルをペットボトル天面のボトルキャップ部に貼る。ペットボトルを廃棄する際や別のペットボトルに貼り直す場合、識別ラベルの突起部を持ち、ボトルキャップからラベルを剥がす。
【実施例】
【００１０】  以下、添付図面に従って一実施例を説明する。１ペットボトル用識別ラベルに他者と区別出来るように名前などを書き込む。３ペットボトルキャップにラベルを貼る。ペットボトルを廃棄する際や別のペットボトルに貼り直す場合、２糊のついていない識別ラベル突起部を持ち、３ペットボトルキャップから１ペットボトル用識別ラベルを剥がす。
【符号の説明】
【００１１】１  ペットボトル用識別ラベル
２  糊のついていない識別ラベル突起部
３  ペットボトルキャップ
【図１】
0003152155.tif 000003
【図２】
0003152155.tif 000004
(57)【要約】【課題】  折り畳み傘を収納用袋に収納するときに使用者が覚えるストレス、並びに、収納時、収納状態時、あるいは袋からの取り出し時に折り畳んだ傘の太さに起因して傘袋にかかる負荷とその反復が惹起する傘袋の縫製部分の毀損を軽減したうえで、袋から傘が随意に脱出することを防止するとともに、収納状態においても、袋の外から傘の細さを知覚可能にする。【解決手段】  傘袋を構成する袋本体の形状を、折り畳み状態の傘と同様の形状にしながらも、袋本体の内部で袋本体の内表と傘の外表との間に余分な空間が生じるように袋本体の内周の長さを折り畳んだ傘の最太部の外周より長くして、傘を収納した袋本体の外周を捲き締める帯を袋本体に縫い込んで設ける。【選択図】図２
0003152153.tif 000002
【実用新案登録請求の範囲】
【請求項１】
折り畳んだときの太さが直径４．０センチメートル以下の細さになる傘骨構造を有する折り畳み傘を収納するための、化学繊維素材の生地からなる傘袋であって、傘袋を構成する袋本体はその内周の最太部の長さが折り畳んだ傘の最太部の外周よりも３．０センチメートル以上長く、折り畳んだ傘を該袋本体に収納したときに、折り畳んだ傘の外表全体と袋本体の内表全体とが緊密に接触しないようになることを特徴とする折り畳み傘用の傘袋。
【請求項２】
前記袋本体の開口部寄りの位置に、袋本体の縦長方向と垂直の向きに袋本体と同素材からなる１センチメートル以上の幅の帯を縫い込んで縫着し、該帯を折り畳んだ傘を収納した袋本体の外周に巻き締めて、該帯の先端に近い位置の片面に付着したマジックテープ（登録商標）の対の一方と該帯の袋本体に近い位置の他方の片面に付着したマジックテープの対の他の一方とを係合させて係止し、折り畳んだ傘と袋本体とを帯で捲いた部分においてして固定させ、捲かれた帯の周囲において袋本体の布にドレープを形成するとともに、袋の外部から袋本体の内部に収納された折り畳み傘の細さを視認させるようにしたことを特徴とする請求項１に記載の傘袋。
【考案の詳細な説明】
【技術分野】
【０００１】  本考案は、折り畳み傘を収納するための傘袋に関するものである。
【背景技術】
【０００２】  従来、折り畳み傘の傘布と同素材の布からなる傘袋は、折り畳んだ傘を収納したときにその外表と傘袋の内表が緊密に接触して余分の空間が生じないように、傘の折り畳み形状と寸法に合わせて設計されていた。折り畳まれた傘の形状が扁平または直方体状、或いは太さが細い等の特徴があるものは、傘袋に収納した状態においてそれらの形状を際立たせるために特にその傾向があった。折り畳んだ傘をそのような傘袋内に進入させるときのスムーズ性は、袋の開口部にスリットを設けることによって図られていた。
【考案の概要】
【考案が解決しようとする課題】
【０００３】  しかしながら、折り畳み方の巧拙、精雑によって折り畳んだ状態の傘の形状・寸法は常に一定ではなく、なかでも従来の折り畳み傘よりも折り畳み状態の太さが格段に細くなる傘骨構造の折り畳み傘は、携帯の利便と外観のスマートさを増加させた一方で従来品よりも折り畳み方の難度がやや増したことにより、折り畳み状態の細さに差異が出やすくなった。
他方、折り畳み傘の収納用袋は、従来、その内表が折り畳み状態の傘の外表と緊密に接触するような形状・大きさで設計されてきたため、傘の折り畳み状態が本来最大限可能な細さよりも太くなった場合に、傘袋への収納時または傘袋からの取り出し時に使用者がストレスを覚え、また、収納のための傘袋への進入時、収納状態時、あるいは傘袋からの脱出時に、傘袋に負荷がかかるようになり、その反復が傘袋の縫製部分の毀損等を惹起していた。そこで、使用者のストレスを解消させ、前記のような傘袋にかかる負荷をなくしたうえで、意図しないときに傘が傘袋から脱出するのを防止するとともに、折り畳み状態の傘の細さを傘袋を通して視認できる折り畳み傘用の傘袋を提供する。
【課題を解決するための手段】
【０００４】  傘布と同素材の傘袋を構成する袋本体の形状を、折り畳み状態の傘と同様の形状にしながらも、傘袋の内周の長さを折り畳んだ傘の最太部の外周よりも長くすることにより、折り畳んだ傘を該袋本体に進入させて収納するとき及び脱出させて取り出すときの動作をスムーズにさせ袋本体に負荷を与えないようにし、収納された状態においては折り畳んだ傘の外表が袋本体の中でその内表と密着せずに余分の空間が生じるようにして袋本体に負荷を与えないようにする。収納後、袋本体の縦方向と垂直の向きに縫い込んで縫着した一定の幅のある同素材の帯を袋本体の外周に巻き締めて帯の一方の面と他方の面にそれぞれ縫着した一対のマジックテープ（登録商標）で係止することにより、折り畳み傘が袋本体から随意に脱出しないように固定すると当時に、帯で巻き締められた部分を折り畳み傘の細さとほぼ同じ細さ又は締められていない状態を上回る細さに知覚できるようにして、袋本体には袋布のドレープを形成し、傘袋に収納した状態でも折り畳まれた傘の細さを強調できるようにする。
【考案の効果】
【０００５】  折り畳んだ傘を袋本体に進入させて収納するとき及び脱出させて取り出すときの動作をスムーズにさせるので使用者にはストレスがなく袋本体には負荷がかからず、収納された状態においては折り畳んだ傘の外表が袋本体の中でその内表と密着せずに余分の空間が生じるので袋本体に負荷がかからない。余分の空間にもかかわらず、折り畳み傘は袋本体から随意に脱出せず、帯で巻き締められた部分が折り畳み傘の細さとほぼ同じ細さまたはそれを上回る細さになる一方で、袋本体には袋布のドレープが形成されるため、傘袋に収納した状態でも折り畳まれた傘の細さが視認され、却って強調される。
【図面の簡単な説明】
【０００６】
【図１】実施例による傘袋の正面図である。
【図２】実施例による傘袋を、折り畳んだ傘を収納して帯を巻き締めない状態で示す正面図である。
【図３】実施例による傘袋を、折り畳んだ傘を収納して帯を巻き締めた状態で示す正面図である。
【図４】実施例による傘袋を、折り畳んだ傘を収納して帯を巻き締めた状態で、収納された折り畳み傘の不可視部分とともに示す正面図である。
【図５】実施例による傘袋を、折り畳んだ傘を収納して帯を巻き締めない状態で示す平面図（開口部方向から見た図）である。
【符号の説明】
【０００７】    １  傘袋本体
２  帯
３  一対のマジックテープの一方
４  一対のマジックテープの他方
ａ  折り畳み傘の取手部分
ｂ  折り畳み傘の本体部分
【図１】
0003152153.tif 000003
【図２】
0003152153.tif 000004
【図３】
0003152153.tif 000005
【図４】
0003152153.tif 000006
【図５】
0003152153.tif 000007
(57)【要約】【課題】ワイシャツをピンチどめやボタンどめをせずハンガーにとめて固定することと、ハンガーの裏面と表面とにかかわらずワイシャツをとめて固定できるハンガーを提供する。【解決手段】２つの羽根形とめ具を使い、これらのとめ具の中央部には、突起と円筒形の穴とがそれぞれあり、これらをハンガー本体に設けた２つの円筒形の穴にそれぞれ通してだきあわせるとめ具を形成する。このとめ具により、ピンチどめやボタンどめをせずにワイシャツをとめて固定できることと、ハンガーの裏面と表面とにかかわらずワイシャツをとめて固定できることとを特徴とする。【選択図】図１
0003152146.tif 000002
【実用新案登録請求の範囲】
【請求項１】
ワイシャツをとめて固定するためのとめ具をハンガーの両面にそれぞれ１つもち、また、ハンガーの裏面または表面にかかわらずどちらでもワイシャツをとめて固定できることを特徴とする両面ワイシャツハンガー。
【考案の詳細な説明】
【技術分野】
【０００１】  本考案は、ワイシャツを手軽に固定するハンガーに関する。
【背景技術】
【０００２】  従来、ワイシャツをハンガーにかけるときはピンチどめやボタンどめをしていた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  ワイシャツをピンチどめやボタンどめをせずハンガーにとめて固定することと、ハンガーの裏面と表面とにかかわらずワイシャツをとめて固定することとを解決するためになされたものである。
【課題を解決するための手段】
【０００６】  ２つの羽根形とめ具を使って解決する。これらのとめ具の中央部には、突起と円筒形の穴とがそれぞれあり、これらをハンガー本体に設けた２つの円筒形の穴にそれぞれ通してだきあわせるとめ具を形成する。これらのとめ具により、ピンチどめやボタンどめをせずにワイシャツをとめて固定でき、しかも、ハンガーの両面にとめ具が形成されるので、ハンガーの裏面と表面とにかかわらずワイシャツをとめて固定することができる。
【考案の効果】
【０００７】  ピンチどめやボタンどめをせずワイシャツをハンガーにとめて固定できる。また、ハンガーの裏面と表面とにかかわらずワイシャツをとめて固定できる。
【図面の簡単な説明】
【０００８】
【図１】とめ具とハンガー本体を示した平面図  図２を一部拡大
【図２】とめ具とハンガー本体を示した正面図
【考案を実施するための形態】
【０００９】  図１のとめ具とハンガー本体は合成樹脂を材料とし、とめ具１と２は弾力性をもたせてワイシャツをはさんでとめることができるようにする。また、ハンガー本体３と４つの先端１ｃ、１ｄ、２ｃ、２ｄとは、適度な距離をとる。理由はワイシャツをはさみやすくするためである。
【実施例】
【００１０】
【産業上の利用可能性】
【００１１】  材料が２種類３個と少なく組み立て簡単、大量生産できる。物干し用、収納用に使える。とめ具部分の大きさと強度を変えれば厚手のジャンパー、すべりやすいカーディガンなどもかけれる。ボタンどめしなくていいので多少、手の不自由な高齢者のかたでも簡単にかけれる。
【符号の説明】
【００１２】  １とめ具
２とめ具
３ハンガー本体
１ａ円筒形の穴
１ｂ突起
１ｃ先端
１ｄ先端
２ａ円筒形の穴
２ｂ突起
２ｃ先端
２ｄ先端
３ａ円筒形の穴
３ｂ円筒形の穴
【図１】
0003152146.tif 000003
【図２】
0003152146.tif 000004
(57)【要約】      （修正有）【課題】物干し竿からの落下、及びズレを防止する物干し用ハンガーを提供する。【解決手段】物干し用ハンガー本体２にフックＸ、Ｙを設け、物干し竿に吊るした後フックＸ、Ｙにゴム製リング３を掛け固定することにより、物干し竿からの落下、及びズレの防止になる。上述のように、物干し用ハンガーにゴム製リングを掛けるだけで、物干し竿にしっかりと固定される。また、構造が単純なことで製作費が安価である。【選択図】図２
0003152143.tif 000002
【実用新案登録請求の範囲】
【請求項１】
物干し竿に掛ける部分の先端、及び付け根の部分にフックを設け、そこにゴム製のリングを掛けることにより、風による物干し竿からの落下、ズレを防止することができる物干し用ハンガー。
【考案の詳細な説明】
【技術分野】
【０００１】  本考案は、物干し竿に掛ける部分の先端と付け根の部分に、ゴム製のリングを掛けるためのフックを設けた、物干し用ハンガーに関するものである。
【背景技術】
【０００２】  従来のハンガーで洗濯物を物干し竿に吊るした場合、風によって物干し竿から落下したり、ズレたりすることがあった。
【考案の概要】
【考案が解決しようとする課題】
【０００３】  物干し竿に洗濯物を掛けたハンガーを吊るして干した時、強風が吹くと、落下したり、ズレたりする。ハンガーをゴム製のリングにより固定することにより前述の問題を解決しようとするものである。
【課題を解決するための手段】
【０００４】  物干し用ハンガーの物干し竿に掛ける部分の先端と付け根の部分にフックを設け、物干し用ハンガーを物干し竿に掛けた後、フック部にゴム製リングを掛けて固定する。
【考案の効果】
【０００５】  上述のように、本考案は、物干し用ハンガーにゴム製リングを掛けるだけで、物干し竿にしっかりと固定される。また、構造が単純なことで制作費が安価である。
【図面の簡単な説明】
【０００６】
【図１】本考案の物干し用ハンガーを物干し竿に吊るした状態図
【図２】本考案の物干し用ハンガーを物干し竿からはずした状態図
【実施例】
【０００７】  以下、本考案を添付図面に従って説明する。２は金属製の線材を折り曲げて作成された物干し用ハンガー本体で、物干し竿に掛ける部分の先端部にフックＸ、付け根部分にフックＹが設けられている。３はＯリングのようなゴム製リングで、予め図２のように物干し用ハンガーにセットしておく。【０００８】  洗濯物を掛けた物干し用ハンガー２を物干し竿１に吊るし、ゴム製リング３をフックＸ、及びＹに掛け固定する。
【符号の説明】
【０００９】１  物干し竿
２  物干し用ハンガー本体
３  ゴム製リング
【図１】
0003152143.tif 000003
【図２】
0003152143.tif 000004
(57)【要約】【課題】  外ガイドの釣竿の先端や、釣糸ガイドに釣糸が絡むことを未然に防止し、しかも、釣り行為のあらゆる釣竿の動作に邪魔になることはない糸絡み防止具を提供する。【解決手段】  釣竿の先端に、らせん状に復元加工を施した弾性らせん状軸部４を巻き付ける。その軸部から延びだして湾曲状に復元加工を施した弾性折曲軸部３が、トップガイド６の環内を通過した先端に、筒状体２を固定している。【選択図】図２
0003152150.tif 000002
【実用新案登録請求の範囲】
【請求項１】
らせん状に復元加工を施した弾性らせん状軸部と、その軸部から延びだして、湾曲状に復元加工を施した弾性折曲軸部の先端に、筒状体を固定したことを特徴とする糸絡み防止具。
【考案の詳細な説明】
【技術分野】
【０００１】  この考案は、外ガイドの釣竿の先端に取付ける糸絡み防止具に関する。
【背景技術】
【０００２】  従来、釣竿には竿先端から所定の間隔に釣糸を通す釣糸ガイドが配置されている。釣糸ガイドは通常釣竿から突出しているため、釣竿を立てた状態の時等には釣糸が釣竿にまとわりつき、釣竿先端のトップガイドや近接の中間ガイドに絡み易いという問題があった。【０００３】  上記の問題を回避するため、図５に示すように、トップガイドは流線型の補助の脚を有し、他の中間ガイドは竿先端に向かって環脚共傾斜した釣竿が使用されている。こうした釣糸ガイドは、針等の仕掛けを付けた釣糸を勢いよく水面に投入した時、釣竿にまとわりついた釣糸が釣糸ガイドに引っ掛からず振りほどける事を目的に使用されてきた。
【考案の概要】
【考案が解決しようとする課題】
【０００４】  しかしながら、以上の技術では、釣糸を勢いよく水面に投入できない時や、釣糸に撚りがかかって竿先に幾重にも巻きついた場合には糸絡みを解消できない。そこで本考案は、釣竿への糸絡みが一番発生しやすい、釣竿を立てて釣糸の引張を緩めた状態でも、竿先等への糸絡みを未然に防止する糸絡み防止具を提供することを課題とする。
【課題を解決するための手段】
【０００５】  以上の課題を解決するために、本考案の糸絡み防止具は、らせん状に復元加工を施した弾性らせん状軸部と、その軸部から延びだして湾曲状に復元加工を施した弾性折曲軸部の先端に、筒状体を固定したことを特徴とする。
【考案の効果】
【０００６】  本考案の糸絡み防止具によれば、中間ガイド、トップガイドの環内、そして筒状体の筒内に案内された釣糸が、釣竿本体と離れた筒状体の先端から繰り出されているため、トップガイド、釣竿の先端、あるいは近接の中間ガイドに絡みつくことはない。又、弾性折曲軸部が自由に折れ曲がる為、釣り行為のあらゆる釣竿の動作に邪魔になることはなく、しかも筒状体の動きで微妙な魚信もとりやすくなる。
【図面の簡単な説明】
【０００７】
【図１】本考案の一実施形態に係る糸絡み防止具を示す斜視図である。
【図２】同防止具を釣竿に取り付けて釣糸を通した状態を示す斜視図である。
【図３】図２の状態から、釣糸を釣竿の元部へ引っ張った状態を示す斜視図である。
【図４】同防止具を釣竿に装着、又は脱着中の状態を示す斜視図である。
【図５】従来例の斜視図である。
【考案を実施するための形態】
【０００８】  本考案の糸絡み防止具の実施形態は、釣竿の先端に装着した弾性らせん状軸部から延びだして、トップガイドの環内を通過した、湾曲状に屈曲した弾性折曲軸部の先端に、筒状体が固定されている。
【実施例】
【０００９】  本考案の糸絡み防止具１は、図１に示すように、筒状体２と、弾性折曲軸部３と弾性らせん状軸部４で構成されている。【００１０】  本考案を添付図面、図２、図３、及び図４の使用図で説明する。図２は釣竿先端５に装着した本糸絡み防止具１に、釣糸を通した状態を示している。【００１１】  弾性らせん状軸部４は、弾性を備えた軟質プラスチック製品からなり、らせん状に復元加工を施しているため、図４に示すように釣竿先端５に巻き付けるように装着すれば、使用中釣竿から外れることはない。しかも弾性であるため、竿先の細い物から太い物まで対応できることが特徴である。【００１２】  この弾性らせん状軸部４から延びだして、弾性折曲軸部３がトップガイド６の環内を通過している。この弾性折曲軸部３も、弾性らせん状軸部４と同じ材質で形成され、図１に示すように、湾曲状に復元加工を施しているため、図３のように、釣糸８を釣竿の元部へ引っ張った時や、その他釣り行為のあらゆる釣竿の動作に、折れ曲がって対応できる。【００１３】  この弾性折曲軸部３の先端に筒状体２が固定されている。この筒状体２は弾性折曲軸部３の湾曲が、この筒状体２の重さでは殆ど変化しない軽量な硬質プラスチック製品で形成されている。又、この筒状体２の外径は、装着時にトップガイド６の環内を通すため、この環の内径よりも小さくなければならない。従って、より小さいトップガイドに対応するため、弾性折曲軸部３の先端は筒状体２の外表面ではなく、筒内に接合されている。そのため筒状体２の釣糸案内口は、弾性折曲軸部３の先端接合部のために狭くなってしまう。そこで釣糸８をこの案内口から円滑に通すために、図１に示すように、筒状体２の釣糸案内口の接合部反面を、この接合部の長さより長く斜めに削ぎ落としている。【００１４】  次に、本糸絡み防止具１の使用方法を説明する。先ず筒状体２をトップガイド６の環内を通し、弾性らせん状軸部４を、図４に示すように釣竿先端５に巻き付けるように装着する。この時、筒状体２の先端の向きは、トップガイド６が立設している向きと同方向になるよう調整しておく。次に、釣竿に装着されたリールから繰り出される釣糸８を、全ての中間ガイドとトップガイド６の環内を通した後、筒状体２の斜めに削ぎ落としている案内口から筒内を通し、先端から繰り出す。この状態で釣糸８の端部に通常の方法と同様に仕掛けを接続して水面に投入する。【００１５】  上記の実施例では、筒状体２は、硬質のプラスチック製品で形成されていると説明したが、軽量で筒状に成形できる材質であれば、弾性折曲軸部３及び弾性らせん状軸部４と同材質の、軟質プラスチック製品の方を採用してもよい。同材質であれば、筒状体２と弾性折曲軸部３との接合工程を省き一体的に成形できる。
【符号の説明】
【００１６】１  糸絡み防止具                      ５  釣竿先端
２  筒状体                            ６  トップガイド
３  弾性折曲軸部                      ７  中間ガイド
４  弾性らせん状軸部                  ８  釣糸
【図１】
0003152150.tif 000003
【図２】
0003152150.tif 000004
【図３】
0003152150.tif 000005
【図４】
0003152150.tif 000006
【図５】
0003152150.tif 000007
(57)【要約】【課題】ホワイトボードやスチール板から落下しにくく、容易に取り外しができ、また、保持された紙片を傷つけないマグネット具を提供する。【解決手段】ネオジウム等の強磁性体を球形に成型した磁石１を球形の本体２に取り付ける。【選択図】図１
0003152141.tif 000002
【実用新案登録請求の範囲】
【請求項１】
球形の本体（２）に球形に成型した磁石（１）を取り付けたことを特徴とするマグネット具。
【請求項２】
球形の本体（２）の上面または側面またはその中間点に差し込み穴（３）を設け、球形に成型した磁石（１）を取り付けたことを特徴とするマグネット具。
【請求項３】
球形等の本体（２）に球形に成型した磁石（１）を取り付けたことを特徴とするマグネット玩具。
【考案の詳細な説明】
【技術分野】
【０００１】本考案は紙片をホワイトボードやスチール板等に保持するときなどに利用されるマグネット具に関する。
【背景技術】
【０００２】従来、特許文献１のマグネット鋲及び特許文献２のマグネット具が考案されているが、磁石部分は板状であり、吸着させたホワイトボードやスチール板から落下しやすく、磁石部分をネオジウムなどの強磁性体にすると、吸着面が広いため、吸着させた箇所からはずしにくくなり、また、保持された紙片が破れる等の欠点があった。
【先行技術文献】
【特許文献】
【０００３】
【特許文献１】実開平５−４５７８０号公報
【特許文献２】実開平５−５５１８３号公報
【考案の概要】
【考案が解決しようとする課題】
【０００４】本考案はこのような問題点を解決するべく、ホワイトボードやスチール板から落下しにくく、容易に取り外しができ、また、保持された紙片を傷つけないマグネット具を提供することを目的とする。
【課題を解決するための手段】
【０００５】本考案はネオジウム等の強磁性体を球形に成型した磁石１を球形の本体２に取り付けたものである。
【考案の効果】
【０００６】本考案によれば、ネオジウム等の強磁性体の吸着力により、ホワイトボードやスチール板から落下しにくく、また、吸着面が球形なので極めて狭く、容易に取り外せ、保持された紙片を傷つけない。また、磁石１は球形なので万が一落下しても、衝撃が分散し破損しにくい。また、本体２は球形なのでつまみやすく、取り外しやすい。
【図面の簡単な説明】
【０００７】
【図１】本考案の側面図である。
【図２】本考案の磁石１の斜視図である。
【図３】本考案の断面図である。
【図４】本考案の実施例２の説明図である。
【図５】本考案の実施例２の説明図である。
【図６】本考案の実施例３の説明図である。
【図７】本考案の実施例４の説明図である。
【考案を実施するための形態】
【０００８】本考案はネオジウム等の強磁性体を球形に成型した磁石１を球形の本体２に取り付けたものである。
【実施例１】
【０００９】ネオジウム等の強磁性体を球形に成型した磁石１を球形の本体２に取り付ける。
【実施例２】
【００１０】球形の本体２の上面または側面またはその中間点に差し込み穴３を設け、フック金具４を差し込み、スチール板やスチール製の家具などに磁石１を吸着させ、取り外しの容易なフックとして利用できる。
【実施例３】
【００１１】球形の本体２の上面または側面またはその中間点に差し込み穴３を設け、両端をＬ字に曲げた針金５の両端に本考案をそれぞれ差し込み、スチール板やスチール製の家具、乗用車の内側の鉄製部分などの側面部や天井部に磁石１を吸着させ、取り外しの容易なタオル掛けやネクタイ掛け、乗用車用の日よけ用カーテンレール等として利用できる。
【実施例４】
【００１２】球形等の本体２の上面または側面にキャラクターの図等を描き、スチール製の家具や机、または両面テープを貼り付けた鉄板をテーブル上面等に固定し、その上に磁石１を吸着させ、指等ではじくと前後左右に振動するので、マスコットや簡易な玩具として利用できる。
【産業上の利用可能性】
【００１３】本考案は文書や写真をホワイトボード等に掲示でき、事務用品としてオフィスで使用できるほか、家庭内や工場、店舗等で幅広く利用できる。
【符号の説明】
【００１４】１  磁石
２  本体
３  差し込み穴
４  フック金具
５  針金
【図１】
0003152141.tif 000003
【図２】
0003152141.tif 000004
【図３】
0003152141.tif 000005
【図４】
0003152141.tif 000006
【図５】
0003152141.tif 000007
【図６】
0003152141.tif 000008
【図７】
0003152141.tif 000009